(57)【要約】      （修正有）【課題】  画像形成装置の利用頻度を向上させることが可能となる画像形成装置、その制御方法およびプログラムを提供する。【解決手段】  操作者が複写機の画像抽選機能を選択する（ステップＳ１０１）と、複写機は、サーバからジャンルリストを取得して表示する（ステップＳ１０６）。これに対して、操作者が印刷を指示する（ステップＳ１１０）と、複写機は、サーバに対して、前記選択されたジャンルの画像データのダウンロードを要求する（ステップＳ１１３）。これに応じて、サーバは、そのジャンル内の複数の画像データからランダムに画像抽選を行い（ステップＳ１１５）、抽選で選択された画像データを複写機に送信する（ステップＳ１１６）。複写機は、サーバが送信した画像データを受信し（ステップＳ１１７）、受信した画像データを印刷する（ステップＳ１１８）。【選択図】    図９
2006313990.tif 000002
【特許請求の範囲】
【請求項１】
複数の画像データを記憶し、該記憶した複数の画像データから抽選して得られた、少なくとも１つの画像データを送信するサーバに対して、画像データの抽選および送信を指示する指示手段と、
該指示手段による画像データの抽選および送信の指示に応じて、サーバが抽選および送信した画像データを受信する受信手段と、
該受信手段によって受信された画像データに基づいて画像を形成する画像形成手段と
を有することを特徴とする画像形成装置。
【請求項２】
前記サーバは、前記複数の画像データを複数の画像データ群に分類して管理するとともに、該各画像データ群を選択可能な情報を送信し、
前記指示手段は、さらに、前記サーバから送信された前記情報に基づいて操作者が選択した、少なくとも１つの画像データ群を指示し、
前記受信手段は、前記指示手段による画像データ群、画像データの抽選および送信の指示に応じて、前記サーバが当該指示された画像データ群の中から抽選し、送信した、少なくとも１つの画像データを受信する
ことを特徴とする請求項１に記載の画像形成装置。
【請求項３】
前記サーバに対して、複数の画像データを抽選し、該抽選して得られた複数の画像データを仮表示するための仮表示データを送信するように指示する第２の指示手段と、
前記第２の指示手段による指示に応じて、前記サーバが送信した、複数の仮表示データを表示する表示手段と、
該表示手段に表示された複数の仮表示データのうち、いずれかを選択する選択手段と
をさらに有し、
前記指示手段は、前記選択手段によって選択された仮表示データに対応する画像データを送信するように前記サーバに指示する
ことを特徴とする請求項１または２に記載の画像形成装置。
【請求項４】
前記第２の指示手段は、所定の条件下で、前記複数の仮表示データを送信するように前記サーバに指示することを特徴とする請求項３に記載の画像形成装置。
【請求項５】
前記所定の条件下は、所定の操作者が指示すること、および、所定の時間帯内で指示することのうち、少なくとも一方が成立するという条件下であることを特徴とする請求項４に記載の画像形成装置。
【請求項６】
複数の画像データを記憶し、該記憶した複数の画像データから抽選して得られた、少なくとも１つの画像データを送信するサーバに対して、画像データの抽選および送信を指示する指示ステップと、
該指示ステップによる画像データの抽選および送信の指示に応じて、サーバが抽選および送信した画像データを受信する受信ステップと、
該受信ステップによって受信された画像データに基づいて画像を形成する画像形成ステップと
を有することを特徴とする画像形成装置の制御方法。
【請求項７】
請求項６に記載の画像形成装置の制御方法を、コンピュータに実行させるためのプログラム。
【請求項８】
請求項７に記載のプログラムを格納した、コンピュータ読み取り可能な記憶媒体。
【発明の詳細な説明】
【技術分野】
【０００１】
本発明は、サーバに格納された画像データをダウンロードし、該ダウンロードされた画像データに基づいて画像を形成する画像形成装置、その制御方法およびプログラムに関する。
【背景技術】
【０００２】
インターネットに複数の画像形成装置とサーバが接続され、サーバに格納された画像ファイルを画像形成装置にダウンロードして印刷するものがある（例えば、特許文献１参照）。
【０００３】
具体的には、サーバへ画像データを格納する人と、サーバからダウンロードした画像データを印刷する人が同じである場合も、異なる場合もある。同じである場合には、その人にＩＤ番号と暗証番号を発行して、同一人物であることを確認した上で、その人に画像データのダウンロードと印刷を許可するようにしている。一方、異なる場合には、サーバに画像データを格納する人にＩＤ番号と暗証番号を発行し、その人に画像データを格納してもらい、画像形成装置から、ある人がその画像データの印刷を指示したときに、その画像データを印刷するとともに、印刷を指示した人から印刷料金を徴収し、画像データを格納した人に、その料金の一部を対価として支払うようにしている。そして、このような画像形成装置が、コンビニエンスストアなどに置かれるようになって来ている。
【特許文献１】特開２００３−３３３２５８号公報
【発明の開示】
【発明が解決しようとする課題】
【０００４】
しかし、上記従来の画像形成装置では、どの画像データを印刷するかを、印刷する人が指定しており、指定した画像が印刷されるだけでは印刷した人の喜びの度合いが小さく、また一度の印刷で確実に期待する画像が得られるので、画像形成装置の利用頻度が少なくなる。
【０００５】
本発明は、この点に着目してなされたものであり、画像形成装置の利用頻度を向上させることが可能となる画像形成装置、その制御方法およびプログラムを提供することを目的とする。
【課題を解決するための手段】
【０００６】
上記目的を達成するため、請求項１に記載の画像形成装置は、複数の画像データを記憶し、該記憶した複数の画像データから抽選して得られた、少なくとも１つの画像データを送信するサーバに対して、画像データの抽選および送信を指示する指示手段と、該指示手段による画像データの抽選および送信の指示に応じて、サーバが抽選および送信した画像データを受信する受信手段と、該受信手段によって受信された画像データに基づいて画像を形成する画像形成手段とを有することを特徴とする。
【０００７】
上記目的を達成するため、請求項６に記載の画像形成装置の制御方法は、複数の画像データを記憶し、該記憶した複数の画像データから抽選して得られた、少なくとも１つの画像データを送信するサーバに対して、画像データの抽選および送信を指示する指示ステップと、該指示ステップによる画像データの抽選および送信の指示に応じて、サーバが抽選および送信した画像データを受信する受信ステップと、該受信ステップによって受信された画像データに基づいて画像を形成する画像形成ステップとを有することを特徴とする。
【発明の効果】
【０００８】
本発明によれば、複数の画像データの中からランダムに抽選された画像データに基づいて画像が形成され、期待した画像が形成されるかどうか操作者には分からないので、操作者にとっては、期待する画像が得られたときの喜びが大きくなる。また、操作者が自分の期待する画像が得られるまで画像の形成を続けることにより、画像形成の回数が増加するので、画像形成装置の利用頻度が増加する。
【発明を実施するための最良の形態】
【０００９】
以下、本発明の実施の形態を図面に基づいて詳細に説明する。
【００１０】
（第１の実施の形態）
図１は、本発明の第１の実施の形態に係る画像形成装置を適用した複写機を含む画像形成システムの構成を示す図である。
【００１１】
同図に示すように、本実施の形態の画像形成システムは、２台の複写機１および２と、サーバ３とによって構成されている。そして、複写機１および２とサーバ３は、インターネット４に接続され、互いに通信ができるようになっている。
【００１２】
本実施の形態では、複写機１は、コンビニエンスストア６に設置され、複写機２は、プリントショップ５に設置され、サーバ３は、サーバ設置場所７に設置されている。このように、複写機１，２およびサーバ３は、同じ場所に設置されている必要はない。もちろん、同じ場所に設置されていてもよい。
【００１３】
複写機１には、コインベンダ８が接続され、コインベンダ８は、有料印刷を行うときの金銭の投入に用いられる。同様に、複写機２にも、コインベンダ９が接続されている。
【００１４】
図２は、複写機１の制御構成を示すブロック図である。
【００１５】
同図に示すように、複写機１は、該複写機１全体を制御する制御部１０１と、操作者が各種指示を入力するための、例えばキーおよびタッチパネルからなる入力部１０２と、表示部１０３と、ＲＯＭ１０４と、ＲＡＭ１０５と、ハードディスク装置（ＨＤＤ)１０６と、印刷機構部１０７と、外部機器と通信するための外部インターフェース（ＩＦ)１０８とにより構成されている。
【００１６】
外部ＩＦ１０８には、インターネット４およびコインベンダ８が接続されている。
【００１７】
なお、複写機２も、複写機１と同様の制御構成である。
【００１８】
図３は、サーバ３の制御構成を示すブロック図である。
【００１９】
同図に示すように、サーバ３は、該サーバ３全体を制御する制御部３０１と、操作者が各種指示を入力するためのキーボード／マウス３０２と、ディスプレイ３０３と、ＲＯＭ３０４と、ＲＡＭ３０５と、ハードディスク装置（ＨＤＤ)３０６と、外部機器と通信するための外部インターフェース（ＩＦ)３０７とにより構成されている。
【００２０】
外部ＩＦ３０７には、インターネット４が接続されている。
【００２１】
図４は、サーバ３のＨＤＤ３０６に記憶された情報の一部を示す図である。
【００２２】
同図（ａ）に示すように、ＨＤＤ３０６には、ジャンル１〜４に分類された、多数の画像データが記憶されている。ジャンル１の画像データとしては、サッカー選手の写真データが１００点記憶されている。ジャンル２の画像データとしては、絶滅危惧動物の写真データが１００点記憶されている。ジャンル３の画像データとしては、日本百景の写真データが１００点記憶されている。ジャンル４の画像データとしては、車のレースで有名なＦ１関連の写真データが１００点記憶されている。
【００２３】
また、同図（ｂ）に示すように、ＨＤＤ３０６には、ジャンルリストと、ジャンル１〜４のどのジャンルを複写機１および２のそれぞれで何枚印刷したかをカウントしたカウント値も記憶されている。
【００２４】
図５は、複写機１の操作部１０９の構成を示す図であり、操作部１０９は、前記図２の入力部１０２および表示部１０３を含んでいる。
【００２５】
図５において、コピーキー１０２０１は、コピー機能を使用するときに押すキーである。操作者がこのキー１０２０１を押すと、表示部１０３の表示は、コピー機能に特化した表示になる。図５の例では、表示部１０３の表示は、コピーに特化された表示である。
【００２６】
ＦＡＸキー１０２０２は、ファクシミリ機能を使用するときに押すキーである。操作者がこのキー１０２０２を押すと、表示部１０３の表示は、ファクシミリ機能に特化した表示になる。
【００２７】
画像抽選キー１０２０３は、本発明の特徴的な機能である、画像抽選機能を使用するときに押すキーである。操作者がこのキー１０２０３を押すと、表示部１０３の表示は、画像抽選機能に特化した表示になる。図６〜図８は、それぞれ、画像抽選機能に特化した表示の一例を示している。これらの表示例については、次の図９のフローチャートの説明と関連付けて説明する。
【００２８】
図９は、本実施の形態の画像形成システムが実行する画像抽選処理の手順を示すフローチャートである。このフローチャートは、複写機１を操作する操作者の操作と、該操作に対して複写機１が実行する制御処理と、該複写機１の制御処理に対してサーバ３が実行する制御処理と、該サーバ３の制御処理に対して複写機１が実行する制御処理を示している。
【００２９】
同図において、まず、操作者は、画像抽選キー１０２０３を押すことで、複写機１の画像抽選機能を選択する（ステップＳ１０１）。これに応じて、複写機１が、ジャンルリストの問い合わせをサーバ３に行う（ステップＳ１０２）と、サーバ３は、ＨＤＤ３０６から前記ジャンルリストを読み出して、複写機１に送信する（ステップＳ１０３）。
【００３０】
複写機１は、受信したジャンルリストを表示部１０３に、例えば図６に示すように表示する（ステップＳ１０４）。操作者は、図６のタッチパネル上のボタン１０２１５〜１０２１８の何れかを押すことで、所望のジャンルを選択する（ステップＳ１０５）。このとき、操作者が、例えばボタン１０２１７を押したとする。
【００３１】
次に、複写機１は、コインベンダ８に投入された金額の残高が、印刷料金（例えば５０円）以上あるか否かを判断する（ステップＳ１０６）。この結果、料金が不足していた場合には、複写機１は、例えば図７に示すように、金銭の投入を促す表示を行うとともに、前記選択されたジャンルの名称を表示する（ステップＳ１０７）。
【００３２】
そして、操作者がこの表示を見て、料金を投入すると（ステップＳ１０８）、複写機１は、例えば図８に示すような印刷指示待ちの表示を行う（ステップＳ１０９）。これに対して、操作者がボタン１０２２４を押すことにより、印刷開始を指示する（ステップＳ１１０）。そして、複写機１が、印刷指示されたことを判断する（ステップＳ１１１）と、複写機１は、前記選択されたジャンル３の画像データをサーバ３に要求する（ステップＳ１１３）。
【００３３】
これに応じて、サーバ３は、ＨＤＤ３０６に確保されている、ジャンル３の複写機１のカウント値を“１”だけ増加させる（ステップＳ１１４）。続いて、サーバ３は、ジャンル３の１００点の画像データの中からランダムに画像抽選を行い（ステップＳ１１５）、抽選で選択された画像データをＨＤＤ３０６から読み出して、複写機１に送信する（ステップＳ１１６）。
【００３４】
複写機１は、この画像データを受信し（ステップＳ１１７）、受信した画像データを印刷する（ステップＳ１１８）。
【００３５】
なお、このようにして印刷された画像を、袋詰装置（図示せず）を用いて袋詰するようにしてもよい。
【００３６】
また、本実施の形態では、サーバは、サーバ３の１台のみとしたが、これに限らず、複数台あってもよい。この場合、サーバ毎に、異なるジャンルの画像データを記憶しておくようにしてもよい。そして、図６の表示では、異なるサーバのジャンルもまとめて一覧表示できるようにすればよい。
【００３７】
さらに、本実施の形態の画像形成システムには、複写機が２台含まれているものの、そのうちの１台の複写機１についてのみ説明したが、複写機１についての説明は、複写機２に対しても全く同様に当てはまる。
【００３８】
このように、本実施の形態では、操作者が所望したジャンルの複数の画像データの中からランダムに抽選された画像データが印刷され、期待した画像が印刷されるかどうか操作者には分からないので、操作者にとっては、期待する画像が得られたときの喜びが大きくなる。また、操作者が自分の期待する画像が得られるまで印刷を続けることにより、印刷回数が増加するので、複写機の利用頻度が増加する。
【００３９】
（第２の実施の形態）
本実施の形態の画像形成システムは、前記第１の実施の形態の画像形成システムに対して、プレミアム印刷を行うことができるようにした点のみが異なっている。そして、プレミアム印刷は、複写機１の制御処理を一部変更することにより実現できるので、本実施の形態の画像形成システムは、前記第１の実施の形態の画像形成システムと同様のハードウェア、すなわち図１〜図５に示すハードウェアをそのまま使用することにする。
【００４０】
図１０および図１１は、本実施の形態の画像形成システムが実行する画像抽選処理の手順を示すフローチャートである。
【００４１】
図１０において、ステップＳ１０１〜Ｓ１０８の各処理は、前記図９のステップＳ１０１〜Ｓ１０８の各処理と同様であるので、その説明を省略する。
【００４２】
料金が投入されると、複写機１は、例えば図１２に示すような印刷指示待ちの表示を行う（ステップＳ１０９）。この表示には、「プレミアム印刷」を指示するボタン１０２３２と、「印刷」を指示するボタン１０２３４が表示されている。操作者がボタン１０２３４を押すことにより、「印刷」を指示すると（ステップＳ１１０）、複写機１は、普通の印刷と判断し（ステップＳ２０１）、前記第１の実施の形態での処理と同様の処理をステップＳ１１３以降継続する。
【００４３】
一方、操作者がボタン１０２３２を押すことにより、「プレミアム印刷」を指示すると（ステップＳ１１０）、複写機１は、プレミアム印刷が指示されていると判断し（ステップＳ２０１）、図１３に示すようなＩＤ番号と暗証番号の入力を要求する画面を表示する（ステップＳ２０２）。操作者が、ＩＤ番号と暗証番号を入力し（ステップＳ２０３）、入力したＩＤ番号と暗証番号が、登録されているＩＤ番号と暗証番号に一致すると（ステップＳ２０４）、処理は、プレミアム印刷へと進む（図１１のステップＳ２０５）。
【００４４】
続いて、複写機１は、サーバ３に２つの画像のプレビュー画像データを要求する（ステップＳ２０６）。これに応じて、サーバ３は、ジャンル３から２つの画像をランダムに選択し（ステップＳ２０７）、プレビュー画像データを複写機１に送信する（ステップＳ２０８）。複写機１は、プレビュー画像データを受信し（ステップＳ２０９）、図１４に示すように、受信した２つの画像１０３０３と画像１０３０４を表示し、さらにどちらの画像を印刷するかを選択するボタン１０２３９および１０２４０を表示する（ステップＳ２１０）。
【００４５】
操作者が、いずれかのボタンを押すと（ステップＳ２１１）、複写機１は、押されたボタンに対応する画像データをサーバ３に要求する（ステップＳ２１２）。これに応じて、サーバ３は、ＨＤＤ３０６に確保されている、ジャンル３の複写機１のカウント値を“１”だけ増加させる（ステップＳ２１３）。続いて、サーバ３は、要求された画像データをＨＤＤ３０６から読み出して、複写機１に送信する（ステップＳ２１４）。複写機１は、この画像データを受信し（ステップＳ２１５）、受信した画像データを印刷する（ステップＳ２１６）。
【００４６】
このように、本実施の形態では、ＩＤ番号と暗証番号を知る操作者のみが、２つの抽選された画像データから二者択一の選択をすることができるので、前記第１の実施の形態のように、ランダムに選択された画像データが印刷されるよりも希望の画像が得られる可能性が高くなる。また、コンビニエンスストアで買い物をした人のレシートにＩＤ番号と暗証番号を印刷して、その人だけに有利に画像抽選機能が利用できるようにすることができ、コンビニエンスストアの販売の促進に役立てることができる。
【００４７】
なお、本実施の形態では、プレビュー画像データの個数を２個としたが、これに限られる訳ではなく、３個以上であってもよい。
【００４８】
（第３の実施の形態）
本実施の形態の画像形成システムは、前記第１の実施の形態の画像形成システムに対して、プレミアム時間内にのみ画像抽選を行うことができるようにした点のみが異なっている。そして、このプレミアム時間内にのみ画像抽選を行うことは、複写機１の制御処理を一部変更することにより実現できるので、本実施の形態の画像形成システムは、前記第１の実施の形態の画像形成システムと同様のハードウェア、すなわち図１〜図５に示すハードウェアをそのまま使用することにする。
【００４９】
図１５は、本実施の形態の画像形成システムが実行する画像抽選処理の手順を示すフローチャートである。
【００５０】
図１５において、ステップＳ１０１〜Ｓ１０８の各処理は、前記図９のステップＳ１０１〜Ｓ１０８の各処理と同様であるので、その説明を省略する。
【００５１】
料金が投入されると、複写機１は、現在の時刻が所定の時間（プレミアム時間）であるか否かを判断する（ステップＳ３０１）。この結果、プレミアム時間でないと判断されると、ステップＳ１０９以降で、前記第１の実施の形態での処理と同様の処理を行う。一方、プレミアム時間であると判断されると、図１６に示すような印刷指示待ちの表示を行う（ステップＳ３０２）。この表示には、プレミアム印刷の指示待ちの表示がなされている。操作者がボタン１０２４１を押すことにより、印刷開始を指示すると（ステップＳ３０３）、複写機１は、プレミアム印刷が指示されていると判断し（ステップＳ３０４）、処理は、プレミアム印刷へと進む（ステップＳ２０５）。これ以降の処理は、前記図１１に記載の処理と同様であるので、その説明を省略する。
【００５２】
このように、本実施の形態では、プレミアム時間と呼ぶ所定の時間のみ、２つの抽選された画像データから二者択一の選択をすることができるので、前記第１の実施の形態のように、ランダムに選択された画像が印刷されるよりも希望の画像が得られる可能性が高くなる。また、複写機の使用頻度が低い時間をプレミアム時間に割り当てるように、管理者が設定すれば、複写機の使用頻度の低い時の使用頻度を上げることができる。さらに、コンビニエンスストアの来客が少ない時間にプレミアム時間に割り当てるように、管理者が設定すれば、来客数を増加させることができる。
【００５３】
なお、上述した各実施の形態の機能を実現するソフトウェアのプログラムコードを記録した記憶媒体を、システムまたは装置に供給し、そのシステムまたは装置のコンピュータ（またはＣＰＵやＭＰＵ）が記憶媒体に格納されたプログラムコードを読出し実行することによっても、本発明の目的が達成されることは言うまでもない。
【００５４】
この場合、記憶媒体から読出されたプログラムコード自体が本発明の新規な機能を実現することになり、そのプログラムコードを記憶した記憶媒体は本発明を構成することになる。
【００５５】
プログラムコードを供給するための記憶媒体としては、たとえば、フレキシブルディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭなどを用いることができる。また、通信ネットワークを介してサーバコンピュータからプログラムコードが供給されるようにしてもよい。
【００５６】
また、コンピュータが読出したプログラムコードを実行することにより、上述した各実施の形態の機能が実現されるだけでなく、そのプログラムコードの指示に基づき、コンピュータ上で稼働しているＯＳなどが実際の処理の一部または全部を行い、その処理によって上述した各実施の形態の機能が実現される場合も含まれることは言うまでもない。
【００５７】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって上述した各実施の形態の機能が実現される場合も含まれることは言うまでもない。
【図面の簡単な説明】
【００５８】
【図１】本発明の第１の実施の形態に係る画像形成装置を適用した複写機を含む画像形成システムの構成を示す図である。
【図２】図１中の複写機の制御構成を示すブロック図である。
【図３】図１中のサーバの制御構成を示すブロック図である。
【図４】図３のサーバのＨＤＤに記憶された情報の一部を示す図である。
【図５】図１中の複写機の操作部の構成を示す図である。
【図６】図３中の表示部に、受信したジャンルリスト表示したときの表示例を示す図である。
【図７】図３中の表示部に、金銭の投入を促す表示をしたときの表示例を示す図である。
【図８】図３中の表示部に、印刷指示待ちの表示をしたときの表示例を示す図である。
【図９】図１のの画像形成システムが実行する画像抽選処理の手順を示すフローチャートである。
【図１０】本発明の第２の実施の形態に係る画像形成装置を適用した複写機を含む画像形成システムが実行する画像抽選処理の手順を示すフローチャートである。
【図１１】図１０の画像抽選処理の続きの手順を示すフローチャートである。
【図１２】本発明の第２の実施の形態に係る複写機の表示部に、印刷指示待ちの表示をしたときの表示例を示す図である。
【図１３】本発明の第２の実施の形態に係る複写機の表示部に、ＩＤ番号と暗証番号の入力を要求する画面を表示したときの表示例を示す図である。
【図１４】本発明の第２の実施の形態に係る複写機の表示部に、受信した２つの画像データを表示したときの表示例を示す図である。
【図１５】本発明の第３の実施の形態に係る画像形成装置を適用した複写機を含む画像形成システムが実行する画像抽選処理の手順を示すフローチャートである。
【図１６】本発明の第３の実施の形態に係る複写機の表示部に、印刷指示待ちの表示をしたときの表示例を示す図である。
【符号の説明】
【００５９】
１，２  複写機
３  サーバ
４  インターネット
５  プリントショップ
６  コンビニエンスストア
７  サーバ設置場所
８，９  コインベンダ
１０１  複写機の制御部
１０２  複写機の入力部
１０３  表示部
１０４  複写機のＲＯＭ
１０５  複写機のＲＡＭ
１０６  複写機のハードディスク
１０７  複写機の印刷機後部
１０８  複写機の外部インターフェース
１０９  複写機の操作部
３０１  サーバの制御部
３０２  サーバのキーボード／マウス
３０３  サーバのディスプレイ
３０４  サーバのＲＯＭ
３０５  サーバのＲＡＭ
３０６  サーバのハードディスク
３０７  サーバの外部インターフェース
【図１】
2006313990.tif 000003
【図２】
2006313990.tif 000004
【図３】
2006313990.tif 000005
【図４】
2006313990.tif 000006
【図５】
2006313990.tif 000007
【図６】
2006313990.tif 000008
【図７】
2006313990.tif 000009
【図８】
2006313990.tif 000010
【図９】
2006313990.tif 000011
【図１０】
2006313990.tif 000012
【図１１】
2006313990.tif 000013
【図１２】
2006313990.tif 000014
【図１３】
2006313990.tif 000015
【図１４】
2006313990.tif 000016
【図１５】
2006313990.tif 000017
【図１６】
2006313990.tif 000018